(57)【要約】【課題】  コンテンツを再生した個人へより的確な情報配信をする。【解決手段】  情報の会員への配信先を示す情報を記録する会員情報記録手段と、会員の端末におけるコンテンツの再生を記録する履歴記録手段と、この履歴内容に基づいて当該会員へ配信すべき配信情報を判定する判定手段と、この判定手段により判定された配信情報を前記会員情報記録手段により特定された会員の配信先へ配信する配信手段とを具備するようにしたものである。【選択図】      図７
2008052673.tif 000002
【特許請求の範囲】
【請求項１】
情報の会員への配信先を示す情報を記録する会員情報記録手段と、
会員の端末におけるコンテンツの再生を記録する履歴記録手段と、
この履歴内容に基づいて当該会員へ配信すべき配信情報を判定する判定手段と、
この判定手段により判定された配信情報を前記会員情報記録手段により特定された会員の配信先へ配信する配信手段とを
具備することを特徴とする情報配信システム。
【請求項２】
前記判定手段はコンテンツの関連情報に基づいて配信情報を判定することを特徴とする請求項１に記載の情報配信システム。
【請求項３】
前記履歴記録手段は、更に会員のネット販売での購入履歴、ネット検索履歴、ネット閲覧履歴、メールの文面を記録することを特徴とする請求項１に記載の情報配信システム。
【請求項４】
前記配信手段は配信情報の配信に伴い配信情報の関連コンテンツの販売予定者に課金することを特徴とする請求項１に記載の情報配信システム。
【請求項５】
情報の会員への配信先を示す情報を記録する会員情報記録手段を有する情報配信システムに用いられる処理装置において、
会員の端末におけるコンテンツの再生を記録する履歴記録手段と、
この履歴内容に基づいて当該会員へ配信すべき配信情報を判定する判定手段と、
この判定手段により判定された配信情報を前記会員情報記録により特定された会員の配信先へ配信する配信手段とを
具備することを特徴とする情報配信システムの処理装置。
【請求項６】
情報の会員への配信先を示す情報を記録する会員情報記録手段と、会員の端末におけるコンテンツの再生を記録する履歴記録手段と、この履歴内容に基づいて当該会員へ配信すべき配信情報を判定する判定手段と、この判定手段により判定された配信情報を前記会員情報記録により特定された会員の配信先へ配信する配信手段とを有する情報配信システムに用いられ、前記会員情報記録手段に配信先情報が記録されている会員が所持する端末であって、
前記情報配信システムから前記会員情報記録手段に記録されている配信先に配信された当該会員宛の配信情報を受信する受信手段を有することを特徴とする端末。
【請求項７】
情報の会員への配信先を示す情報を記録する会員情報記録手段と、
会員のネット販売での購入履歴、ネット検索履歴、ネット閲覧履歴、メールの文面を記録する履歴記録手段と、
この履歴内容に基づいて当該会員へ配信すべき配信情報を判定する判定手段と、
この判定手段により判定された配信情報を前記会員情報記録手段により特定された会員の配信先へ配信する配信手段とを
具備することを特徴とする情報配信システム。
【発明の詳細な説明】
【技術分野】
【０００１】
本発明は、コンテンツ情報を配信する情報配信システム、情報配信システムの処理装置及び端末に関する。
【背景技術】
【０００２】
従来、レンタルショップや百貨店などの施設では、会員登録されている会員へダイレクトメールや電子メールを用いて情報配信を行っている。このような各会員へ情報配信を行う情報配信システムでは、予め登録されている会員のメールアドレスや住所へ会員向けの各種の情報を配信している。また、上記のような情報配信システムでは、イベント情報、新商品情報、新サービス情報、あるいは、レンタルショップや百貨店などの施設において会員だけが利用できるようなサービスの情報などの様々な情報を会員向けの情報として配信している。
【０００３】
しかしながら、上記のような従来の会員向けの情報配信システムでは、以下の問題点がある。
第１に、従来の情報配信システムでは、各会員に対して一括して同じ情報を配信することが多い。従って、各会員にとっては興味のない情報も多く配信されてくるため、それらの情報が記憶に残らなかったり、無視したりすることが多いという問題点がある。また、各会員にとって無用な情報を多く配信することになるため、情報配信を行う運用者側としては、その運用にかかる手間やコストが無駄になるという問題点がある。
【０００４】
第２に、上記のように従来の情報配信システムでは、各会員にとっては興味のない情報も多く、それらの情報が記憶に残りにくいため、実際に施設に訪れたときには情報の内容等を忘れてしまっていることが多いという問題点がある。
【０００５】
これらの問題点に対して、個人の購入した商品情報により、広告(お勧め商品)の内容を変更することが特許文献１に提示されている。特許文献１では、購入時に店舗端末から情報を取得するという、一般的な情報取得方法が示されている。しかしながら、プレゼント用に購入したものは、プレゼントする人はコンテンツを再生しないため、やはり上記のような問題点が通常は発生する。例えば、独身者が親戚の子供用に、幼児用DVDを購入したとし、その後、独身者に幼児用のコンテンツ紹介のメール等が届くと迷惑に近いものである。即ち裏返して言えば、コンテンツを再生した個人へ的確な情報配信が行われていないという問題があった。
【特許文献１】特開２００５−２２２１５４号公報
【発明の開示】
【発明が解決しようとする課題】
【０００６】
この発明は、上記のような問題を解決するものであって、コンテンツを再生した個人へより的確な情報配信をすることができる情報配信システム、情報配信システムの処理装置及び端末を提供することを目的とする。
【課題を解決するための手段】
【０００７】
この発明の情報配信システムは、情報の会員への配信先を示す情報を記録する会員情報記録手段と、会員の端末におけるコンテンツの再生を記録する履歴記録手段と、この履歴内容に基づいて当該会員へ配信すべき配信情報を判定する判定手段と、この判定手段により判定された配信情報を前記会員情報記録手段により特定された会員の配信先へ配信する配信手段とを具備することを特徴とする。
【発明の効果】
【０００８】
この発明によれば、コンテンツを再生した個人へより的確な情報配信をすることができる情報配信システム、情報配信システムの処理装置及び端末を提供できる。
【発明を実施するための最良の形態】
【０００９】
この発明を実施するための最良の形態について図面を参照しつつ説明する。
【実施例１】
【００１０】
本実施の形態では、例えば、コンテンツを再生する端末を保有するユーザーに対するサービスを提供している端末メーカーにおいて、各ユーザーに対して各種の情報を配信する情報配信システムについて説明する。
【００１１】
図１は、本発明の実施の形態に係る情報配信システム１の構成例を示す図である。
図１に示すように、情報配信システム１は、破線で示す処理装置１０の構成内容である処理部１２、会員データベース１３、履歴データベース１４、配信情報データベース１５、会員登録装置１７とレジ端末１８などを有している。また、この情報配信システム１を利用する人物（会員）は、上記情報配信システム１からの配信情報が受信可能な端末（コンテンツ再生用の端末）２０を所持しているものとする。
【００１２】
上記処理部１２は、情報配信システム全体の制御を司るものである。上記処理部１２は、ＰＣ（パーソナルコンピュータ）等により構成され、図示しない記憶装置に登録されている制御プログラムに基づいて、データ解析処理などの種々の処理を実行する機能を有している。例えば、上記処理部１２は、各会員に配信すべき配信情報あるいは各会員に配信すべき情報の種類を判定する機能（判定手段）、および、情報の種類に基づいて上記配信情報データベース１５から該当する種類の配信情報を検索する機能（検索手段）などを有している。
【００１３】
また、上記処理部１２は、図示しないネットワークインターフェースを有しており、上記ネットワークインターフェースにより当該情報配信システム１の各部とのデータの送受信を行う機能（取得手段）を有している。さらに、上記処理部１２は、図示しない外部インターフェースを有しており、上記外部インターフェースによりインターネットなどを介して上記端末２０へ情報を発信する機能（配信手段）を有している。
【００１４】
上記会員データベース１３は、会員情報記録手段として機能し、予め登録されている会員に関する情報が記録されているデータベースである。上記会員データベース１３には、少なくとも各会員を識別するための情報と当該会員へ配信する情報の配信先を示す情報などが記録される。
【００１５】
上記履歴データベース１４は、履歴情報記録手段として機能し、会員ごとのコンテンツ再生情報を蓄積するデータベースである。上記履歴データベース１４に記録される他の履歴データとしては、例えば、レンタルショップではレンタル履歴が記録され、百貨店等では商品やサービス等の購入履歴などが記録される。
【００１６】
上記配信情報データベース１５は、配信情報記録手段として機能し、会員に配信する情報を保存するデータベースである。上記配信情報データベース１５に保存される情報は、会員向けに配信可能な全ての配信情報が蓄積されている。また、これらの配信情報は、上記処理部１２が検索可能な種類（例えば、ジャンル、時刻、年齢）ごとに分類されて上記配信情報データベース１５に蓄積されている。
【００１７】
上記会員登録装置１７は、会員登録を実施する装置である。この会員登録装置１７は、ＰＣ等により構成され、キーボードなどの入力装置１７ｂを有している。
上記レジ端末１８は、商品やサービスなどを販売あるいはレンタルする際に、販売処理あるいは貸し出し処理を行う端末機器であり、会員情報を入力する機能も有している。例えば、レンタルショップにおいて会員が物品をレンタルする場合、上記レジ端末１８は、レンタルする物品に関する情報と会員に関する情報とを取得し、上記履歴データベース１４に登録する。また、百貨店や商店などにおいて会員が商品やサービスを購入する場合、上記レジ端末１８は、販売する商品やサービスに関する情報と会員に関する情報とを取得し、上記履歴データベース１４へ登録する。
【００１８】
また、上記端末２０は、上記情報配信システム１を利用する会員が保有するDVD（デジタル多用途ディスク）プレーヤーなどの電子機器により構成される。端末２０はHD（High Definition） DVDプレーヤーにより構成してもよい。またＰＣやテレビジョン装置（以下、ＴＶ）、携帯電話でもよい。上記端末２０は、少なくとも上記情報配信システム１から配信された情報を受信する機能を有し、受信した情報を表示する表示部２０ａを有している。上記端末２０は、例えば、上記情報配信システム１から配信される情報を受信する受信手段として、インターネットを介して電子メールによる情報の送受信を行う機能を有している。また入力手段としては、例えば次の３つの方式がある。
【００１９】
1) 画面に、キー配列を表示し、リモコンの上下左右キーでユーザーに選択させる。
2) ＴＶ等では数字キーに、文字を割り振る。
3) USBのポートにキーボードを接続する。
次に、会員データベース１３、履歴データベース１４および配信情報データベース１５等の構成について説明する。
図２は、会員データベース１３の構成例を示す図である。
図２に示す例では、会員データベース１３には、全会員に関する情報が記録され、各会員の情報としては会員番号、氏名、メールアドレス、住所などが記録されている。会員番号としては、登録時に各会員に与えられる会員番号が記録される。氏名としては、各会員の氏名が記録される。上記メールアドレスとしては、各会員の端末のメールアドレスが記録される。上記住所は、印刷、封入等を行う図示せぬ構成の手段を用いて各会員へダイレクトメール（以下、DM）を配信するためのものである。
【００２０】
図３は、履歴データベース１４の構成例を示す図である。
図３に示す例では、履歴データベース１４には、各会員ごとのコンテンツ再生履歴、また必要に応じてレンタル履歴あるいは購入履歴が記録され、各履歴としては、日時、品名、ジャンル、タイトルIDなどが記録されている。日時としては、当該会員がコンテンツ再生、レンタルあるいは購入を行った日時が記録される。品名としては、当該会員がコンテンツ再生、レンタルあるいは購入した物品、商品、あるいはサービスなどを示す情報が記録される。上記ジャンルとしては、当該会員がコンテンツ再生、レンタルあるいは購入した物品、商品あるいはサービスなどのジャンル（種目）を示す情報が記録される。なお、図３では、DVD−ROMのコンテンツ再生履歴を履歴データベース１４の一例として示している。
【００２１】
図４は、タイトルIDに関する二次情報へのリンクの構成例を示す図である。図４に示す例では、図３のタイトルＩＤ００１−０２のタイトル名「ＵＦＯの秘密」のコンテンツを挙げている。この二次情報へのリンクは例えばＵＦＯという語を含むコンテンツへのリンクが記載されている。
【００２２】
項目としては、コンテンツIDをキーとして、一次情報、例えば、タイトル、出演者、監督、主題歌、主題歌を歌う歌手、このコンテンツのユーザーが好みそうな商品等を予め用意しておく。また、その一次情報をキーとして、その主題歌を聴く方が聞きそうな曲といったように、二次情報へのリンクを貼っておく。
【００２３】
二次情報に相当するコンテンツにも同様なタイトルIDに関する二次情報へのリンクの構成ができ、このリンクは先のタイトルIDに関する三次情報へのリンクとなる。このように芋づる式に全体として関連情報へのリンクが形成されている。
【００２４】
第何次の情報まで関連情報として配信するかは、このリンクを予め形成するサービス提供者等が決めておけばよい。
図４では、タイトル名の他、出演者名、主題歌名といった項目も例示しているが、それらの項目とは属性の異なる情報を最後に示している。コンテンツの販売者と紹介料の課金のための販売者の引き落し口座である。
【００２５】
ＤＶＤメディアのタイトルID等の埋め込み方法として、二種類ある。一つはこれまで実施されてきたものとして、画像ファイルとは、別のデータとして、タイトル毎のIDを持つ方法であり、２桁の数のＩＤを持てる。他の一つは画像ファイルの中に、「電子透かし」を埋め込んで、その「電子透かし」の中に、タイトル毎のIDを埋め込む方法であり、所謂コンテンツＩＤとして仕様策定が進められている。いずれにせよ、タイトルID等上記の項目のリストは予め配信部１２に構成しておく。
【００２６】
図５は、配信情報データベース１５の構成例を示す図である。
図５に示す例では、配信情報データベース１５には、配信可能な全ての配信情報が記録され、各配信情報についてはジャンル、日時、配信情報が記録されている。上記ジャンルとしては、当該配信情報のジャンルが記録される。上記日時としては、当該配信情報の日時が記録される。上記配信情報としては、実施に配信する配信情報の内容が記録される。
【００２７】
次に、上記情報配信システム１の処理手順について説明する。まず、上記情報配信システム１における会員の登録処理について図６を用いて説明する。
上記情報配信システム１では、上記会員登録装置１７にて会員の登録処理が実施される。上記会員登録装置１７では、会員登録に必要なデータを取得し、上記会員データベース１３に登録する処理を行う。
【００２８】
上記情報配信システム１では、少なくとも会員のメールアドレスまたは住所のデータが会員登録に必要である。会員登録する人物のメールアドレス等の情報は、上記入力装置１７ｂにより入力することができる。
【００２９】
コンテンツを再生する端末を利用するユーザーのユーザー登録はユーザーからのメールや郵送により行われるが（ステップＳ１０ａ）、その際にユーザーの行動履歴の情報収集および使用の許諾の確認が行われ（ステップＳ１０ｂ）、許諾あり（ステップＳ１０ｃ）の場合は、ユーザー識別のための会員登録をする（ステップＳ１０ｄ）こととなる。全体を確認し（ステップＳ１０ｅ）ユーザーが了承すると会員登録処理は終了である。これらの処理はメールの場合は処理部１２が中継し、郵送の場合は会員登録装置１７に対し直接オペレーターが行う。
【００３０】
上記のような会員登録に必要なデータを取得すると、上記会員登録装置１７は、当該人物に対して会員番号を付与し、会員番号とともに取得したデータを上記会員データベース１３に登録する。これにより、上記会員データベース１３には、例えば、図２に示すように、会員に関する情報として、当該会員の会員番号、氏名、メールアドレス、住所が登録される。
【００３１】
次に、上記情報配信システム１における履歴処理について説明する。図７は、情報配信システム１における履歴処理の処理手順の例を示すフローチャートである。
ユーザーがコンテンツを再生する（ステップＳ１１ａ）と、そのコンテンツに対応するタイトルＩＤが端末で抽出され（ステップＳ１１ｂ）、会員登録している（ステップＳ１１ｃ）場合は、タイトルＩＤが処理部１２へ送られ処理部１２は履歴データベース１４へ登録する（ステップＳ１１ｄ）。タイトルが終了し（ステップＳ１１ｅ）ていなければ次の再生タイトルについて処理を繰り返す。
【００３２】
次に、上記情報配信システム１における情報配信処理について説明する。図８は、情報配信システム１における情報配信処理の処理手順の例を示すフローチャートである。
【００３３】
ユーザーが端末メーカーのウェブサイトをブラウズする等何かコンテンツの購入可能性のある動きがあったとき（ステップＳ１２ａ）、お勧め商品の端末での表示の形で処理部１２より情報配信され（ステップＳ１２ｂ）、図４のように紹介料の課金が設定されているコンテンツの場合には（ステップＳ１２ｃ）、口座振替等の形で課金が実施される（ステップＳ１２ｄ）。情報配信商品が終了し（ステップＳ１２ｅ）ていなければ次の商品について処理を繰り返す。
【００３４】
例えば、ここでは、会員へ配信すべき情報の種類として、会員の好みのジャンルを推定（判定）するものとして説明する。この場合、会員の好みのジャンルを推定する方法の例としては、当該会員がレンタルあるいは購入した物品、商品、サービスのジャンルの最も多いジャンルを好みのジャンルとして推定する方法などが挙げられる。図３に示す例では、会員番号１の会員について、夫々２回の履歴があることにより好みのジャンルが「ＳＦ（science  fiction）」と「スポーツ」とであると判定されたとする。
【００３５】
当該会員へ配信すべき情報の種類（当該会員の好みのジャンル）を判定すると、上記処理部１２は、上記配信情報データベース１５に記録されている配信情報から判定した種類の情報（当該会員の好みのジャンルに属する配信情報）を検索する。この検索により当該会員へ配信すべき種類の配信情報が上記配信情報データベース１５に存在すると、上記処理部１２は、それらの配信情報を上記配信情報データベース１５から取得する。
【００３６】
例えば、会員へ配信すべき情報の種類としての好みのジャンルが「ＳＦ」と「スポーツ」とであると推定された場合、図５に示すような配信情報データベース１５からは、配信情報としてジャンルが「ＳＦ」に属する「２００４／１／１０、「ＵＦＯが来る日」が入荷しました」という配信情報と、「スポーツ」に属する「２００４／１／１０  １７：００〜、プロ野球選手サイン会」という配信情報とが取得される。
【００３７】
当該会員へ配信すべき配信情報を上記配信情報データベース１５から取得すると、上記処理部１２は、取得した配信情報から当該会員宛の電子メールを作成し、上記会員データベース１３に登録されている当該会員のメールアドレスに送信する。
【００３８】
このような配信情報が発信されると、当該会員の端末２０は、電子メールにて上記情報配信システム１からの配信情報を受信する。このような電子メールを受信した端末２０は、上記表示部２０ａに電子メールとして上記情報配信システム１から配信された配信情報を表示する。これにより、当該会員は、端末２０の表示部に表示された情報を閲覧することができ、その情報を利用することが可能となる。
【００３９】
上記のように、本実施の形態では、その会員へ配信すべきジャンルの情報を履歴情報から推定し、推定したジャンルに関する配信情報を当該会員の端末へ送信するようにしたものである。
【００４０】
次に、上記実施の形態の変形例について説明する。上記端末２０に配信された情報に対して会員が応答（例えば、返信メール）した場合、会員の応答に応じたサービスを提供するような運用を行うことも可能である。例えば、ある商品の入荷案内を会員に配信した際に、当該会員からの要望に応じて、その商品を確保（取り置き）しておいたり、その商品の購入予約を受付けたり、その商品の詳細情報を再度当該会員宛に配信したりすることが可能である。
【００４１】
このような運用を上記情報配信システムにて実現するための運用形態の一例として、ある商品の入荷案内の情報を配信し、その商品を会員からの要望に応じてレジカウンタ（レジ端末１８が設置されているカウンタ）内に取り置きしておくような運用形態の実現形態について以下に説明する。
【００４２】
まず、情報配信システム１がある商品の入荷案内とともに要望があればその商品を一定期間指定の場所（例えば、レジカウンタ内）に取り置きすることが可能である旨を配信情報として配信したものとする。このような配信情報に対して当該会員が商品の取り置きを希望する場合、その商品の取り置きを要望する旨の応答を上記端末２０から返信メール等を送信する。上記端末２０からの商品の取り置きを要望する旨の返信メールは、上記処理部１２により受信して当該商品の取り置きの受付処理を行う。
【００４３】
この受付処理として、上記処理部１２は、当該商品を扱っているレジ端末１８を判断し、そのレジ端末１８へ当該商品を取り置きする旨の情報と当該会員の情報とを送る。上記処理部１２から商品を取り置きする旨の情報を受けたレジ端末１８では、図示しない表示部に当該商品を取り置きする旨を表示することにより係員に報知する。
【００４４】
上記レジ端末１８の表示部に当該商品を取り置きする旨が表示されると、レジ端末１８の係員は、当該商品をレジカウンタ内に取り置きしておき、当該会員が訪れるのを待つ。なお、一定時間内に当該会員がレジカウンタに現れない場合はその商品の取り置きを無効とするようにしても良い。その後、当該会員がレジカウンタに訪れた場合、係員は、会員を確認し、取り置きしておいた商品を会員に提示する。
【００４５】
このような運用形態によれば、会員としては、配信情報として受けた商品を確実に購入したりレンタルしたりすることができるというメリットがあり、運用者側としては、会員に宣伝効果の高い情報を配信できるとともに、会員に対するサービス向上を図れるとうメリットがある。このように会員の行動につながった場合には成功報酬として上記課金の金額を上げるような運用も可能である。優先的または独占的に特定の店舗を表示するといったことも工夫してよい。
【実施例２】
【００４６】
本発明による実施例２を図１乃至図７および図９を参照して説明する。実施例１と共通する部分は説明を省略する。
情報配信システム１における情報配信処理について説明する。図９は、情報配信システム１における情報配信処理の処理手順の例を示すフローチャートである。
ユーザーがコンテンツの再生をする等何か関連コンテンツの購入可能性のある動きがあったとき（ステップＳ１３ａ）、お勧め商品のダイレクトメールの図２の住所への送付の形で処理部１２より情報配信され（ステップＳ１３ｂ）、図４のように紹介料の課金が設定されているコンテンツの場合には（ステップＳ１３ｃ）、口座振替等の形で課金が実施される（ステップＳ１３ｄ）。一度のＤＭで情報配信対象の商品を皆盛り込めなければ（ステップＳ１３ｅ）次の商品について処理を繰り返す。
【００４７】
情報配信の形態として実施例１のように端末での表示とするか、実施例２のようにＤＭとするかは、会員登録時あるいはその後にユーザーにメールや郵便等により選ばせるとよい。
【００４８】
本発明においては、コンテンツ再生履歴を特徴としているが、他の履歴等の情報の利用を排除するものではなく、積極的に用いてもよい。
例えば会員であると判断すると、上記処理部１２は、当該会員の履歴データベース１４に記録されているレンタル履歴あるいは購入履歴に基づいて、当該会員へ配信すべき情報の種類を総合的に判定する処理を行う。この判定処理においては、当該会員の好みのジャンルあるいは当該会員の年齢などに基づいて会員へ配信すべき情報の種類として判定される。更にコンテンツから取得した情報だけでなく、ネット販売での購入履歴、ネット検索履歴、ネット閲覧履歴、ユーザーが発信した意見などのメールの文面等も考慮し、総合的または、それぞれの履歴単体で判断し、お勧めを表示する方法を用いてもよい。総合的に判断する方法としては、例えば履歴等の種類ごとに１件当たりのポイントを定めて加算し総合ポイントで判断するということが実現できる。
【００４９】
本発明においては、従来一般に店毎に管理されていた商品（コンテンツとは限らない）をお勧めするための情報が総合的になり、より正確なお勧めが可能になる。
従来は、取得した情報からの分析であり、取得した情報を更にリンクさせ、リンク先の情報から分析することはなかった。本発明では、リンクした二次、三次の情報からも分析が可能となり、ユーザーにお勧め情報を提供する。
【００５０】
例えば、タイトルIDから、一次情報として、タイトル、出演者等の情報を得るが、今までは、そのタイトルを購入した別の客が購入した商品を優先表示する程度で、本発明では、一次データをキーとして、その出演者が出演した別タイトルを購入した客が購入したタイトルといったようにリンクさせていく。
【００５１】
まとめると以下のようになる。
従来：
1) 従来は、店毎にユーザー情報をとるために、総合的にお勧めすることが出来なかった。
2) 従来は、商品に対する一次的な情報でのみ分析し、商品を勧めていた。
3) ネット検索など、総合的に判断して、お勧めする機能はなかった。
本発明：
1) 別の店で購入した商品もお勧めするための情報として得られるため、よりユーザーのニーズにマッチしたお勧め情報が提供できる。コンテンツの再生履歴から、分析することにより総合的に、お勧めすることが可能になる。
【００５２】
2) 一次情報から二次情報にリンクさせることで、より多くのお勧め情報を提供出来る。一次情報から、関連する二次情報にリンクを貼り、ネットワーク構造を持つことによりもっと多くのお勧め情報を提供することを可能にする(何次まで分析するかは問わない)。
【００５３】
3) ネット検索などの情報も含めることで、より総合的かつ正確に、お勧め情報を提供出来る。
なお、この発明は上記実施例に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５４】
【図１】本発明の実施の形態に係る情報配信システム全体の構成例を示す図。
【図２】会員データベースの構成例を示す図。
【図３】履歴データベースの構成例を示す図。
【図４】タイトルIDに関する二次情報へのリンクの構成例を示す図。
【図５】配信情報データベースの構成例を示す図。
【図６】情報配信システムにおける会員の登録処理手順の例を説明するためのフローチャート。
【図７】情報配信システムにおける履歴処理の処理手順の例を説明するためのフローチャート。
【図８】情報配信システムにおける情報配信処理の処理手順の例を説明するためのフローチャート。
【図９】他の実施形態における情報配信システムにおける情報配信処理の処理手順の例を説明するためのフローチャート。
【符号の説明】
【００５５】
１…情報配信システム、１０…処理装置、１２…処理部、１３…会員データベース、１４…履歴データベース、１５…配信情報データベース、１７…会員登録装置、１７ｂ…入力装置、１８…レジ端末、２０…携帯端末、２０ａ…表示部。
【図１】
2008052673.tif 000003
【図２】
2008052673.tif 000004
【図３】
2008052673.tif 000005
【図４】
2008052673.tif 000006
【図５】
2008052673.tif 000007
【図６】
2008052673.tif 000008
【図７】
2008052673.tif 000009
【図８】
2008052673.tif 000010
【図９】
2008052673.tif 000011